(57)【特許請求の範囲】
【請求項１】
複数種類のフォーマットのデータを記録可能であり、カテゴリ毎に決められた名称を有するディレクトリ内に上記フォーマットのデータが格納される記録媒体に対してデータの記録及び／又は再生が可能であるデータ記録再生装置であって、
各種情報を表示する表示部を制御する表示制御手段と、上記データ記録再生装置に対応する対応フォーマットとは異なる非対応フォーマットのデータを格納するディレクトリに格納された上記非対応フォーマットの上記ディレクトリの名称に基づくフォーマット確認及び上記非対応フォーマットのデータの消去を行う処理手段とを備え、
上記表示制御手段は、上記記録媒体に記録された上記非対応フォーマットのデータを格納するディレクトリのカテゴリと当該ディレクトリを消去するか否かを示す消去確認用メッセージとを上記表示部に表示し、
上記処理手段は、上記表示部に表示された上記消去確認用メッセージに対する応答として消去が要求されたディレクトリを当該ディレクトリに格納されている上記フォーマットのデータとともに消去するデータ記録再生装置。
【請求項２】
上記処理手段は、上記非対応フォーマットのデータの容量を確認する請求項１記載のデータ記録再生装置。
【請求項３】
上記表示制御手段は、上記記録媒体の残量を使用者に認識させるための残量認識用メッセージを上記表示部に表示し、操作部における上記使用者の操作に応じて上記記録媒体に記録された上記非対応フォーマットのデータを格納するディレクトリのカテゴリと当該ディレクトリを消去するか否かを示す消去確認用メッセージとを上記表示部に表示する請求項１記載のデータ記録再生装置。
【請求項４】
上記ディレクトリは、上記記録媒体のルートディレクトリに作成される請求項１記載のデータ記録再生装置。
【請求項５】
上記ディレクトリは、上記記録媒体の決められた任意のディレクトリ内に作成される請求項１記載のデータ記録再生装置。
【請求項６】
上記ディレクトリの名称と当該ディレクトリに格納されるデータの内容との対応関係を示す対応関係情報を記憶する記憶手段を備え、
上記処理手段は、上記記憶手段から読み出した上記対応関係情報に基づいて、上記記録媒体に記録されているディレクトリの名称と、上記対応関係情報に示されているディレクトリの名称とを比較する請求項１記載のデータ記録再生装置。
【請求項７】
上記ディレクトリには、当該ディレクトリに格納されるデータの内容を示すデータが格納されており、
上記処理手段は、上記データの内容を示すデータに基づいて、上記ディレクトリの名称と当該ディレクトリに格納されるデータの内容との対応関係を認識する請求項１記載のデータ記録再生装置。
【請求項８】
上記処理手段は、上記対応フォーマットのデータを、上記記録媒体に記録される上記対応フォーマットのデータを格納するディレクトリに対して記録及び／又は再生する請求項１記載のデータ記録再生装置。
【請求項９】
上記対応フォーマットは、１つのみである請求項１記載のデータ記録再生装置。
【請求項１０】
上記表示制御手段は、上記処理手段による上記フォーマット確認の結果を示す情報を上記表示部に表示する請求項１記載のデータ記録再生装置。
【請求項１１】
上記処理手段による上記フォーマット確認の結果に応じて発光状態を変化させる発光手段を備える請求項１記載のデータ記録再生装置。
【請求項１２】
上記処理手段による上記フォーマット確認の結果に応じてビープ音を発生するビープ音発生手段を備える請求項１記載のデータ記録再生装置。
【請求項１３】
上記記録媒体は、不揮発性のフラッシュメモリである請求項１記載のデータ記録再生装置。
【請求項１４】
複数種類のフォーマットのデータを記録可能であり、カテゴリ毎に決められた名称を有するディレクトリ内に上記フォーマットのデータが格納される記録媒体に対してデータの記録及び／又は再生が可能であり、各種情報を表示部に表示し、上記データ記録再生装置に対応する対応フォーマットとは異なる非対応フォーマットのデータを格納するディレクトリに格納された上記非対応フォーマットの上記ディレクトリの名称に基づくフォーマット確認及び上記非対応フォーマットのデータの消去を行うデータ記録再生方法であって、
上記記録媒体に記録された上記非対応フォーマットのデータを格納するディレクトリのカテゴリと当該ディレクトリを消去するか否かを示す消去確認用メッセージとを上記表示部に表示し、上記表示部に表示された上記消去確認用メッセージに対する応答として消去が要求されたディレクトリを当該ディレクトリに格納されている上記フォーマットのデータとともに消去するデータ記録再生方法。
【請求項１５】
上記非対応フォーマットのデータの容量を確認する請求項１４記載のデータ記録再生方法。
【請求項１６】
上記記録媒体の残量を使用者に認識させるための残量認識用メッセージを上記表示部に表示し、操作部における上記使用者の操作に応じて上記記録媒体に記録された上記非対応フォーマットのデータを格納するディレクトリのカテゴリと当該ディレクトリを消去するか否かを示す消去確認用メッセージとを上記表示部に表示する請求項１４記載のデータ記録再生方法。
【請求項１７】
上記ディレクトリは、上記記録媒体のルートディレクトリに作成される請求項１４記載のデータ記録再生方法。
【請求項１８】
上記ディレクトリは、上記記録媒体の決められた任意のディレクトリ内に作成される請求項１４記載のデータ記録再生方法。
【請求項１９】
上記ディレクトリの名称と当該ディレクトリに格納されるデータの内容との対応関係を示す対応関係情報を記憶手段に記憶しており、
上記記憶手段から読み出した上記対応関係情報に基づいて、上記記録媒体に記録されているディレクトリの名称と、上記対応関係情報に示されているディレクトリの名称とを比較する請求項１４記載のデータ記録再生方法。
【請求項２０】
上記ディレクトリには、当該ディレクトリに格納されるデータの内容を示すデータが格納されており、
上記データの内容を示すデータに基づいて、上記ディレクトリの名称と当該ディレクトリに格納されるデータの内容との対応関係を認識する請求項１４記載のデータ記録再生方法。
【請求項２１】
上記対応フォーマットのデータを、上記記録媒体に記録される上記対応フォーマットのデータを格納するディレクトリに対して記録及び／又は再生する請求項１４記載のデータ記録再生装置。
【請求項２２】
上記対応フォーマットは、１つのみである請求項１４記載のデータ記録再生方法。
【請求項２３】
上記フォーマット確認の結果を示す情報を表示部に表示する請求項１４記載のデータ記録再生方法。
【請求項２４】
上記フォーマット確認の結果に応じて発光手段の発光状態を変化させる請求項１４記載のデータ記録再生方法。
【請求項２５】
上記フォーマット確認の結果に応じてビープ音を発生する請求項１４記載のデータ記録再生方法。
【請求項２６】
上記記録媒体として、不揮発性のフラッシュメモリを用いる請求項１４記載のデータ記録再生方法。
【請求項２７】
複数種類のフォーマットのデータを記録可能であり、カテゴリ毎に決められた名称を有するディレクトリ内に上記フォーマットのデータが格納される記録媒体と、上記記録媒体を着脱自在に装着するとともに、装着された上記記録媒体に対してデータの記録及び／又は再生が可能であるデータ記録再生装置とを備えるデータ記録再生システムであって、
上記データ記録再生装置は、
各種情報を表示部に表示する表示制御手段と、上記データ記録再生装置に対応する対応フォーマットとは異なる非対応フォーマットのデータを格納するディレクトリに格納された上記非対応フォーマットの上記ディレクトリの名称に基づくフォーマット確認及び上記非対応フォーマットのデータの消去を行う処理手段とを有し、
上記表示制御手段は、上記記録媒体に記録された上記非対応フォーマットのデータを格納するディレクトリのカテゴリと当該ディレクトリを消去するか否かを示す消去確認用メッセージとを上記表示部に表示し、
上記処理手段は、上記表示部に表示された上記消去確認用メッセージに対する応答として消去が要求されたディレクトリを当該ディレクトリに格納されている上記フォーマットのデータとともに消去するデータ記録再生システム。
【請求項２８】
上記処理手段は、上記非対応フォーマットのデータの容量を確認する請求項２７記載のデータ記録再生システム。
【請求項２９】
上記表示制御手段は、上記記録媒体の残量を使用者に認識させるための残量認識用メッセージを上記表示部に表示し、操作部における上記使用者の操作に応じて上記記録媒体に記録された上記非対応フォーマットのデータを格納するディレクトリのカテゴリと当該ディレクトリを消去するか否かを示す消去確認用メッセージとを上記表示部に表示する請求項２７記載のデータ記録再生システム。
【請求項３０】
上記データ記録再生装置は、上記ディレクトリの名称と当該ディレクトリに格納されるデータの内容との対応関係を示す対応関係情報を記憶する記憶手段を備え、
上記処理手段は、上記記憶手段から読み出した上記対応関係情報に基づいて、上記記録媒体に記録されているディレクトリの名称と、上記対応関係情報に示されているディレクトリの名称とを比較する請求項２７記載のデータ記録再生システム。
【請求項３１】
上記ディレクトリには、当該ディレクトリに格納されるデータの内容を示すデータが格納されており、
上記処理手段は、上記データの内容を示すデータに基づいて、上記ディレクトリの名称と当該ディレクトリに格納されるデータの内容との対応関係を認識する請求項２７記載のデータ記録再生システム。
【請求項３２】
上記対応フォーマットは、１つのみである請求項２７記載のデータ記録再生システム。
【請求項３３】
複数種類のフォーマットのデータを記録可能であり、カテゴリ毎に決められた名称を有するディレクトリ内に上記フォーマットのデータが格納される記録媒体に対してデータの記録及び／又は再生が可能であり、各種情報を表示部に表示し、データ記録再生装置に対応する対応フォーマットとは異なる非対応フォーマットのデータの上記ディレクトリの名称に基づくフォーマット確認及び上記非対応フォーマットのデータの消去を行う処理を上記データ記録再生装置に実行させるデータ記録再生プログラムを提供するプログラム提供媒体であって、
上記データ記録再生プログラムは、
上記記録媒体に記録された上記非対応フォーマットのデータを格納するディレクトリのカテゴリと当該ディレクトリを消去するか否かを示す消去確認用メッセージとを上記表示部に表示し、上記表示部に表示された上記消去確認用メッセージに対する応答として消去が要求されたディレクトリを当該ディレクトリに格納されている上記フォーマットのデータとともに消去する処理を上記データ記録再生装置に実行させるプログラム提供媒体。
【請求項３４】
上記データ記録再生プログラムは、上記非対応フォーマットのデータの容量を上記データ記録再生装置に確認させる請求項３３記載のデータ記録再生プログラムを提供するプログラム提供媒体。
【請求項３５】
上記記録媒体の残量を使用者に認識させるための残量認識用メッセージを上記表示部に表示し、操作部における上記使用者の操作に応じて上記記録媒体に記録された上記非対応フォーマットのデータを格納するディレクトリのカテゴリと当該ディレクトリを消去するか否かを示す消去確認用メッセージとを上記表示部に表示する請求項３３記載のプログラム提供媒体。
【請求項３６】
上記データ記録再生装置は、上記ディレクトリの名称と当該ディレクトリに格納されるデータの内容との対応関係を示す対応関係情報を記憶手段に記憶しており、
上記データ記録再生プログラムは、上記データ記録再生装置に、上記記憶手段から読み出した上記対応関係情報に基づいて、上記記録媒体に記録されているディレクトリの名称と、上記対応関係情報に示されているディレクトリの名称とを比較させる請求項３３記載のデータ記録再生プログラムを提供するプログラム提供媒体。
【請求項３７】
上記ディレクトリには、当該ディレクトリに格納されるデータの内容を示すデータが格納されており、
上記データ記録再生プログラムは、上記データ記録再生装置に、上記データの内容を示すデータに基づいて、上記ディレクトリの名称と当該ディレクトリに格納されるデータの内容との対応関係を認識させる請求項３３記載のデータ記録再生プログラムを提供するプログラム提供媒体。
【発明の詳細な説明】
【０００１】
【発明の属する技術分野】
本発明は、複数種類のフォーマットのデータを記録可能である記録媒体に対して少なくとも１つのフォーマットである対応フォーマットのデータの記録及び／又は再生するデータ記録再生装置、データ記録再生方法、データ記録再生システム及びデータ記録再生プログラムを提供するプログラム提供媒体に関する。
【０００２】
【従来の技術】
近年、例えばディジタルスチルカメラといったデータの記録及び／又は再生を行う各種ＡＶ（Audio Visual）機器が普及しており、これにともない、このようなＡＶ機器に対して着脱可能であるフラッシュメモリ等の記録媒体が開発されてきている。
【０００３】
このような記録媒体は、例えば、動画データ、静止画データ、オーディオデータ（音楽データ）、ボイスデータ（音声データ）といった各種データのフォーマットにかかわらず、複数種類のフォーマットのデータを混在して記録することができる。そのため、使用者は、このような記録媒体を用いることによって、異なるフォーマットのデータを扱う複数のＡＶ機器のそれぞれに対応する記録媒体を用いる必要がなく、１つの記録媒体を各ＡＶ機器間で相互利用することができる。
【０００４】
【発明が解決しようとする課題】
ところで、例えばディジタルスチルカメラであれば静止画データのみを扱うことができるといったように、ＡＶ機器は、通常、特定のフォーマットのデータのみを扱うことができるようになっている。そのため、ＡＶ機器は、対応していない複数種類のフォーマットが混在して記録されている記録媒体を装着した場合には、それらの非対応フォーマットのデータの内容や容量等の情報を認識することができなかった。これは、記録媒体に対する各フォーマットにおけるデータの記録方法や記録場所等が明確にデータ記録再生プログラムされておらず、データを扱う方法もフォーマットにより多種多様であるためである。
【０００５】
したがって、ＡＶ機器においては、使用者は、複数種類のフォーマットのデータが混在して記録されている記録媒体を用いる場合、記録媒体の記録容量の残量と対応フォーマットのデータの内容のみしか把握することができず、特に非対応フォーマットのデータについては、内容を把握することができなかった。そのため、複数種類のフォーマットのデータを混在して記録することができる記録媒体を用いることによって、対象とするＡＶ機器にのみ対応する既存の記録媒体を用いる場合には生じなかった混乱が生じる可能性があった。
【０００６】
本発明は、このような実情に鑑みてなされたものであり、複数種類のフォーマットのデータを混在して記録することができる従来の記録媒体における問題を解決し、複数種類のフォーマットのデータが記録媒体に混在して記録されている場合にも、使用者に高い利便性を提供することができるデータ記録再生装置、データ記録再生方法、データ記録再生システム及びこのようなデータ記録再生プログラムを提供するプログラム提供媒体を提供することを目的とする。
【０００７】
【課題を解決するための手段】
上述した目的を達成する本発明にかかるデータ記録再生装置は、複数種類のフォーマットのデータを記録可能であり、カテゴリ毎に決められた名称を有するディレクトリ内にフォーマットのデータが格納される記録媒体に対してデータの記録及び／又は再生が可能であるデータ記録再生装置であって、各種情報を表示部に表示する表示制御手段と、データ記録再生装置に対応する対応フォーマットとは異なる非対応フォーマットのデータを格納するディレクトリに格納された非対応フォーマットのディレクトリの名称に基づくフォーマット確認及び非対応フォーマットのデータの消去を行う処理手段とを備え、表示制御手段は、記録媒体に記録された非対応フォーマットのデータを格納するディレクトリのカテゴリとディレクトリを消去するか否かを示す消去確認用メッセージとを表示部に表示し、処理手段は、表示部に表示された消去確認用メッセージに対する応答として消去が要求されたディレクトリをディレクトリに格納されているフォーマットのデータとともに消去する。
【０００８】
このような本発明にかかるデータ記録再生装置は、複数種類のフォーマットのデータを記録可能である記録媒体に記録されている非対応フォーマットのデータを格納するディレクトリのカテゴリとディレクトリを消去するか否かを示す消去確認用メッセージとを表示部に表示し、表示部に表示された消去確認用メッセージに対する応答として消去が要求されたディレクトリをディレクトリに格納されているフォーマットのデータとともに消去する。
【０００９】
また、上述した目的を達成する本発明にかかるデータ記録再生方法は、複数種類のフォーマットのデータを記録可能であり、カテゴリ毎に決められた名称を有するディレクトリ内にフォーマットのデータが格納される記録媒体に対してデータの記録及び／又は再生が可能であり、各種情報を表示部に表示し、データ記録再生装置に対応する対応フォーマットとは異なる非対応フォーマットのデータを格納するディレクトリに格納された非対応フォーマットのディレクトリの名称に基づくフォーマット確認及び非対応フォーマットのデータの消去を行うデータ記録再生方法であって、記録媒体に記録された非対応フォーマットのデータを格納するディレクトリのカテゴリとこのディレクトリを消去するか否かを示す消去確認用メッセージとを表示部に表示し、表示部に表示された消去確認用メッセージに対する応答として消去が要求されたディレクトリをこのディレクトリに格納されているフォーマットのデータとともに消去する。
【００１０】
このような本発明にかかるデータ記録再生方法は、複数種類のフォーマットのデータを記録可能である記録媒体に記録されている非対応フォーマットのデータを格納するディレクトリのカテゴリとこのディレクトリを消去するか否かを示す消去確認用メッセージとを表示部に表示し、表示部に表示された消去確認用メッセージに対する応答として消去が要求されたディレクトリをこのディレクトリに格納されているフォーマットのデータとともに消去する。
【００１１】
さらに、上述した目的を達成する本発明にかかるデータ記録再生システムは、複数種類のフォーマットのデータを記録可能であり、カテゴリ毎に決められた名称を有するディレクトリ内にフォーマットのデータが格納される記録媒体と、記録媒体を着脱自在に装着するとともに、装着された記録媒体に対してデータの記録及び／又は再生が可能であるデータ記録再生装置とを備えるデータ記録再生システムであって、データ記録再生装置は、各種情報を表示部に表示する表示制御手段と、データ記録再生装置に対応する対応フォーマットとは異なる非対応フォーマットのデータを格納するディレクトリに格納された非対応フォーマットのディレクトリの名称に基づくフォーマット確認及び非対応フォーマットのデータの消去を行う処理手段とを有し、表示制御手段は、記録媒体に記録された非対応フォーマットのデータを格納するディレクトリのカテゴリとこのディレクトリを消去するか否かを示す消去確認用メッセージとを表示部に表示し、処理手段は、表示部に表示された消去確認用メッセージに対する応答として消去が要求されたディレクトリをこのディレクトリに格納されているフォーマットのデータとともに消去する。
【００１２】
このような本発明にかかるデータ記録再生システムは、データ記録再生装置によって、複数種類のフォーマットのデータを記録可能である記録媒体に記録されている非対応フォーマットのデータを格納するディレクトリのカテゴリとディレクトリを消去するか否かを示す消去確認用メッセージとを表示部に表示し、表示部に表示された消去確認用メッセージに対する応答として消去が要求されたディレクトリをディレクトリに格納されているフォーマットのデータとともに消去する。
【００１３】
さらにまた、上述した目的を達成する本発明にかかるデータ記録再生プログラムを提供するプログラム提供媒体は、複数種類のフォーマットのデータを記録可能であり、カテゴリ毎に決められた名称を有するディレクトリ内にフォーマットのデータが格納される記録媒体に対してデータの記録及び／又は再生が可能であり、各種情報を表示部に表示し、データ記録再生装置に対応する対応フォーマットとは異なる非対応フォーマットのデータのディレクトリの名称に基づくフォーマット確認及び非対応フォーマットのデータの消去を行う処理をデータ記録再生装置に実行させるデータ記録再生プログラムを提供するプログラム提供媒体であって、データ記録再生プログラムは、記録媒体に記録された非対応フォーマットのデータを格納するディレクトリのカテゴリとこのディレクトリを消去するか否かを示す消去確認用メッセージとを表示部に表示し、表示部に表示された消去確認用メッセージに対する応答として消去が要求されたディレクトリをこのディレクトリに格納されているフォーマットのデータとともに消去する処理をデータ記録再生装置に実行させる。
【００１４】
このような本発明にかかるデータ記録再生プログラムを提供するプログラム提供媒体は、複数種類のフォーマットのデータを記録可能である記録媒体に記録されている非対応フォーマットのデータの非対応フォーマットのデータを格納するディレクトリのカテゴリとディレクトリを消去するか否かを示す消去確認用メッセージとを表示部に表示し、表示部に表示された消去確認用メッセージに対する応答として消去が要求されたディレクトリをディレクトリに格納されているフォーマットのデータとともに消去する処理をデータ記録再生装置に行わせる。
【００１５】
【発明の実施の形態】
以下、本発明を適用した具体的な実施の形態について図面を参照しながら詳細に説明する。
【００１６】
本発明を適用した実施の形態は、例えば、動画データ、静止画データ、オーディオデータ（音楽データ）、ボイスデータ（音声データ）といった各種データのフォーマットにかかわらず、複数種類のフォーマットの各種データを混在して記録することができる記録媒体である不揮発性のフラッシュメモリと、このフラッシュメモリを着脱し、フラッシュメモリに対して各種データを記録及び／又は再生するＡＶ（Audio Visual）機器とにより構成されるデータ記録再生システムである。
【００１７】
このようなデータ記録再生システムにおけるＡＶ機器は、フラッシュメモリに対するデータの記録方法を明確に規定して、データのフォーマットにかかわらず最低限の情報を共有することによって、対応していないフォーマットのデータを認識することができ且つ扱うことができる。したがって、使用者は、ＡＶ機器が対応していないフォーマットのデータについても確認でき、フラッシュメモリの容量が不足した場合にも対応していないフォーマットのデータを消去できるようになる。具体的には、静止画データとオーディオデータとが記録されているフラッシュメモリを、静止画データのみを扱うことができるディジタルスチルカメラに装着して使用する場合、使用者は、ディジタルスチルカメラが対応しているフォーマットのデータである静止画データを確認して再生することができることは勿論のこと、対応していないフォーマットのデータであるオーディオデータについても、どのようなデータであるか確認でき、静止画データをフラッシュメモリに記録するための容量が不足した場合、対応していないフォーマットのデータであるオーディオデータを消去できるようになる。なお、以下の説明では、必要に応じて、ＡＶ機器が対応しているフォーマットを対応フォーマットと称し、対応していないフォーマットを非対応フォーマットと称し、フラッシュメモリに記録される実データをファイルと称するものとする。
【００１８】
まず、本発明にて提案するフラッシュメモリに対するデータの記録方法について説明する。フラッシュメモリは、汎用の記録媒体としても使用できるが、使用者が内部ファイルを直接意識せずに使うことができるような専用のＡＶ機器での使用を前提としている。そのため、フラッシュメモリにおいては、ファイルのデータフォーマットやファイルを記録するディレクトリ名等を規定する。ＡＶ機器は、その規定にしたがって、フラッシュメモリにデータを記録する必要がある。ここでは、フラッシュメモリに記録するファイルをどのように配置するかを規定する。
【００１９】
フラッシュメモリにおいては、ＡＶ機器が、記録されているファイルのうち、自らの対応フォーマットのファイルを容易に探索し、効率よくファイルを配置するため、以下に示す３つの概念の下に、ディレクトリ及びファイルの配置を行う。
【００２０】
・ルートディレクトリには、直接データファイルを配置しない
・データファイルは、各アプリケーション毎に決められて作成されるディレクトリの中に、決められたフォーマットで記録される
・ベンダに固有のファイルは、ベンダ毎に作成されるディレクトリの中に記録される
【００２１】
ルートディレクトリに作成されるディレクトリ名及びファイル名は、具体的には、次表１に示すようになる。すなわち、フラッシュメモリにおけるルートディレクトリには、フラッシュメモリが例えばいわゆるメモリスティックであることを示すといったフラッシュメモリの種類を示すファイルである“ＭＥＭ＊＊＊＊＊．ｉｎｄ”と、静止画ファイルを格納するディレクトリである“ＤＣＩＭ”と、ボイスファイルを格納するディレクトリである“ＶＯＩＣＥ”と、オーディオファイルを格納するディレクトリである“ＨＩＦＩ”と、コントロール情報ファイルを格納するディレクトリである“ＣＯＮＴＲＯＬ”と、電話及びファクシミリ情報ファイルを格納するディレクトリである“ＴＥＬ”と、エンタテインメントロボット情報ファイルを格納するディレクトリである“ＯＰＥＮ−Ｒ”と、ベンダ固有の情報を格納するディレクトリである“ＭＳ＊＊＊＊＊＊”とが記録される。
【００２２】
【表１】
0004281174.tif 000002
【００２３】
フラッシュメモリにおいては、この表１に示したディレクトリ及びファイル以外のディレクトリ及びファイルは、ルートディレクトリに配置されることを禁じられる。なお、ルートディレクトリ内のディレクトリについては、以下に示すように、必要に応じて拡張することもあり得る。また、ベンダに固有のファイルは、ベンダ毎のディレクトリ“ＭＳ＊＊＊＊＊＊”下に配置され、このディレクトリ“ＭＳ＊＊＊＊＊＊”内のディレクトリ及びファイル構成は、自由とされる。
【００２４】
ルートディレクトリ内のディレクトリの拡張は、次に示す２つの規則にしたがって行われる。
【００２５】
まず、第１の規則としては、新しいアプリケーションに対応する場合には、新たなディレクトリを作成することである。これは、あるアプリケーションに対するファイルがベンダに固有のディレクトリ“ＭＳ＊＊＊＊＊＊”内に記録され、異なるＡＶ機器からのアクセスが不可能となる事態を防止するためである。
【００２６】
また、第２の規則としては、ベンダ毎のディレクトリ“ＭＳ＊＊＊＊＊＊”の名称は、重複を避けるために登録制とすることである。この場合、ディレクトリ“ＭＳ＊＊＊＊＊＊”の名称は、原則として１つのベンダにつき１つの登録とされる。
【００２７】
以上のような規則にしたがって作成されるフラッシュメモリにおけるディレクトリ構成は、例えば図１に示すようになる。この場合、このフラッシュメモリには、静止画ファイル、ボイスファイル、オーディオファイル及びベンダ固有ファイルが記録され得る。ベンダ固有のディレクトリ“ＭＳ＊＊＊＊＊＊”下は、ベンダ毎に自由なファイルを自由な位置に配置することができる。また、その他の各ディレクトリ下は、各フォーマットに沿ったファイル形式、配置にする必要がある。
【００２８】
このように規則を定めることによって、ＡＶ機器は、装着したフラッシュメモリにどのようなデータが記録されているかを把握することができる。
【００２９】
さて、このようなフラッシュメモリとデータの記録及び／又は再生が可能なＡＶ機器とにより構成されるデータ記録再生システムにおいては、フラッシュメモリに記録されているファイル内容や使用者による操作等に応じた状態を、以下に示す規則にしたがって、使用者に認知させることができる。
【００３０】
データ記録再生システムにおいては、この認知方法として、ＡＶ機器の表示手段である表示部等にメッセージを表示するもの、ＡＶ機器の表示手段である表示部等にいわゆるアイコンを表示するもの、ＡＶ機器が備える発光手段であるＬＥＤ（Light Emitting Diode）等を点灯・点滅させるといった発光状態を変化させることによるもの、ＡＶ機器が備えるビープ音発生手段であるスピーカから発生されるビープサウンドによるものがある。以下、この各種状態の認知方法について説明する。なお、以下の説明では、必要に応じて、フラッシュメモリにおけるルートディレクトリ内のディレクトリ単位でのデータ群をカテゴリと称するものとする。
【００３１】
まず、各種状態を使用者に認知させるものとしては、フラッシュメモリに記録されているファイルの内容判別がある。これは、対象とするＡＶ機器が非対応フォーマットのデータのみが記録されているフラッシュメモリを当該ＡＶ機器に装着して再生モードにした場合や、ＡＶ機器に備えられる内容判別キーを使用者が押した場合をトリガとするものである。
【００３２】
この場合、例えば静止画ファイルのみを扱うことができるディジタルスチルカメラである場合のように、１つのカテゴリのみに対応しているＡＶ機器は、例えば
「ＮＯ  ＩＭＡＧＥ」
「画像データがありません」
といったように、対応しているカテゴリに属するデータがフラッシュメモリに記録されていない旨のメッセージを図示しない表示部等に表示する。また、ＡＶ機器は、図２に示すようなアイコンを図示しない表示部等に表示したり、図示しないＬＥＤに任意の発光動作をさせたり、図示しないスピーカから任意のビープサウンドを発生したりする。
【００３３】
一方、例えば静止画ファイルとオーディオファイルとを扱うことができるディジタルスチルカメラである場合のように、複数のカテゴリに対応しているＡＶ機器は、例えば
「ＮＯ  ＩＭＡＧＥ」
「ＮＯ  ＡＵＤＩＯ」や、
「画像データがありません」
「オーディオデータがありません」
といったメッセージをカテゴリ毎に個々に図示しない表示部等に表示したり、或いは、
「ＵＮＫＮＯＷＮ  ＤＡＴＡ」
「ＩＮＣＯＭＰＡＴＩＢＬＥ  ＤＡＴＡ」
「非対応のデータがあります」
といったメッセージを図示しない表示部等に表示することによって、対応しているカテゴリに属するデータがフラッシュメモリに記録されていない旨を使用者に認知させる。また、ＡＶ機器は、図２に示したようなアイコンを図示しない表示部等に表示することによって、対応しているカテゴリに属するデータがフラッシュメモリに記録されていない旨を使用者に認知させたり、図３に示すようなカテゴリ別アイコンを図示しない表示部等に表示することによって、フラッシュメモリに記録されているデータのカテゴリを使用者に認知させる。さらに、ＡＶ機器は、図示しないＬＥＤに任意の発光動作をさせたり、図示しないスピーカから任意のビープサウンドを発生したりする。
【００３４】
次に、各種状態を使用者に認知させるものとしては、使用者による操作等に対する警告がある。
【００３５】
この警告を認知させる場合としては、対象とするＡＶ機器が対応しているカテゴリに属するデータが記録されていないフラッシュメモリを当該ＡＶ機器に装着し、ＡＶ機器に備えられる再生キーを使用者が押した場合をトリガとするものがある。
【００３６】
この場合、ＡＶ機器は、例えば
「ＣＡＮＮＯＴ  ＰＬＡＹ」
「ＣＡＮＮＯＴ  ＲＥＡＤ」
「再生できるデータがありません」
といったように、使用者により再生キーが押された場合に、フラッシュメモリには何らかのデータが記録されているものの当該ＡＶ機器ではそのデータを再生することができない旨のメッセージを図示しない表示部等に表示する。また、ＡＶ機器は、図２に示したようなアイコンを図示しない表示部等に表示したり、図示しないＬＥＤに任意の発光動作をさせたり、図示しないスピーカから任意のビープサウンドを発生したりする。
【００３７】
また、ＡＶ機器がデータの記録及び再生をともに行うことができる場合において警告を認知させる他の場合としては、
・装着したフラッシュメモリが物理的或いは電気的に損壊していたり、フラッシュメモリが誤ったＦＡＴ（File Allocation Table）形式又はＦＡＴ以外でフォーマットされていること等によりデータの読み込み及び書き込みが不能である場合をトリガとするもの
・装着したフラッシュメモリに記録されているファイルが読み込み不能である場合をトリガとするもの
・装着したフラッシュメモリがロック状態の場合に記録キーを使用者が押してデータを書き込もうとした場合をトリガとするもの
・フラッシュメモリが装着されていない状態で記録キー又は再生キーを使用者が押した場合をトリガとするもの
・装着したフラッシュメモリの記録容量の残量がない場合をトリガとするもの
・装着したフラッシュメモリの記録容量の残量が少ない場合をトリガとするもの
・データが未記録であるフラッシュメモリを装着して再生キーを使用者が押した場合をトリガとするもの
・著作権対応のデータが記録されているフラッシュメモリを著作権に対応していないＡＶ機器に装着した場合をトリガとするもの
・著作権データであり再生制限のある内容が記録されているフラッシュメモリを装着してＡＶ機器のロックスイッチをオンにして再生キーを使用者が押した場合をトリガとするもの
等がある。
【００３８】
さらに、ＡＶ機器がデータの再生のみを行うことができる場合において警告を認知させる他の場合としては、
・装着したフラッシュメモリが物理的或いは電気的に損壊していたり、フラッシュメモリが誤ったＦＡＴ（File Allocation Table）形式又はＦＡＴ以外でフォーマットされていること等によりデータの読み込みが不能である場合をトリガとするもの
・装着したフラッシュメモリに記録されているファイルが読み込み不能である場合をトリガとするもの
・フラッシュメモリが装着されていない状態で再生キーを使用者が押した場合をトリガとするもの
・データが未記録であるフラッシュメモリを装着して再生キーを使用者が押した場合をトリガとするもの
・著作権対応のデータが記録されているフラッシュメモリを著作権に対応していないＡＶ機器に装着した場合をトリガとするもの
・著作権データであり再生制限のある内容が記録されているフラッシュメモリを装着してＡＶ機器のロックスイッチをオンにして再生キーを使用者が押した場合をトリガとするもの
等がある。
【００３９】
次に、各種状態を使用者に認知させるものとしては、ＡＶ機器とフラッシュメモリとの関係状態がある。この関係状態を認知させる方法としては、ＡＶ機器に対するフラッシュメモリの着脱状況の検出及び表示、ＡＶ機器に対するフラッシュメモリの装着場所及び／又は方法がわかるように装着部の付近へのアイコン表示、フラッシュメモリを正確な方向にしか装着できないことを表示、フラッシュメモリの正確な装着が完了した旨がわかる表示、ＡＶ機器に対するフラッシュメモリの着脱が可能な限りデータの書き込みが停止してから行うべきであることの表示がある。
【００４０】
ＡＶ機器がデータの記録及び再生をともに行うことができる場合においてこのような関係状態を認知させる場合としては、
・フラッシュメモリをＡＶ機器に装着した場合をトリガとするもの
・フラッシュメモリをＡＶ機器から抜いた場合やフラッシュメモリがＡＶ機器に装着されていない場合をトリガとするもの
・ＡＶ機器が装着したフラッシュメモリにアクセス中であり操作を受け付けない状態が例えば２秒以上継続する場合、フラッシュメモリをフォーマットしている場合、フラッシュメモリに対してデータを記録中である場合をトリガとするもの
等がある。
【００４１】
また、ＡＶ機器がデータの再生のみを行うことができる場合において関係状態を認知させる場合としては、
・フラッシュメモリをＡＶ機器に装着した場合をトリガとするもの
・フラッシュメモリをＡＶ機器から抜いた場合やフラッシュメモリがＡＶ機器に装着されていない場合をトリガとするもの
・ＡＶ機器が装着したフラッシュメモリにアクセス中であり操作を受け付けない状態が例えば２秒以上継続する場合をトリガとするもの
等がある。
【００４２】
なお、フラッシュメモリのみをＡＶ機器が装着可能とする場合には、この関係状態を使用者に認知させるのが望ましい。
【００４３】
次に、各種状態を使用者に認知させるものとしては、フラッシュメモリの記録容量の残量がある。これは、フラッシュメモリをＡＶ機器に装着した場合や、残量を確認するための確認キーを使用者が押した場合をトリガとするものである。この残量を認知させる方法としては、ＡＶ機器が記録可能であるカテゴリに対応する動作モード毎に、例えば枚数や時間等の具体的な数値を図示しない表示部等に表示したり、残量を数値で表せない場合に、バー表示で記録容量の残量／全体量を図示しない表示部等に表示したり、残量／全体量ばかりではなく使用量／全体量を切り換えて表示したりするものがある。いずれの場合にも、ＡＶ機器は、使用量と残量とのいずれを表しているのかを明示するのが望ましい。
【００４４】
次に、各種状態を使用者に認知させるものとしては、初期化を含むデータを消去する際の注意がある。これは、ＡＶ機器がデータの記録及び再生をともに行うことができる場合に必要となるものである。
【００４５】
特に初期化の場合には、未フォーマット又は異なるフォーマットのフラッシュメモリをＡＶ機器に装着した場合をトリガとするものがある。このような初期化の場合、ＡＶ機器は、例えば
「ＦＯＲＭＡＴ  ＥＲＲＯＲ」
「フォーマットエラー」
「フォーマットが必要です」
といったように、フラッシュメモリを初期化する必要がある旨のメッセージを、記録してある全てのデータを消去する旨の確認用のメッセージとともに図示しない表示部等に表示する。また、ＡＶ機器は、初期化を行う際に、フラッシュメモリの記録容量の使用量や先に図３に示したような記録されているデータのカテゴリを示すアイコンを図示しない表示部等に表示するようにしてもよい。その他、ＡＶ機器は、図示しないＬＥＤに任意の発光動作をさせたり、図示しないスピーカから任意のビープサウンドを発生したりする。この際、ＡＶ機器は、使用者が誤って全てのデータを消去することがないように、確認用のステップや物理的なガードを設ける必要がある。
【００４６】
ＡＶ機器においては、消去には、損壊したフラッシュメモリを修復するための初期化と、フラッシュメモリの記録容量を増やすために読み込めないデータを削除するものとがあり、具体的には全消去と部分消去とがある。
【００４７】
全消去は、フラッシュメモリに記録されているデータが、ＡＶ機器が対応しているカテゴリに属するものであろうと対応していないカテゴリに属するものであろうとにかかわらず、全てのデータを消去対象とするものであり、いわゆる初期化と同じ動作である。これは、未フォーマットや損壊したフラッシュメモリを装着した場合に行うものである。この場合、ＡＶ機器は、例えば
「ＦＯＲＭＡＴ」
「フォーマット」
といったように、フラッシュメモリを初期化する旨のメッセージを図示しない表示部等に表示する。また、ＡＶ機器は、初期化を行う際に、フラッシュメモリの記録容量の使用量や先に図３に示したような記録されているデータのカテゴリを示すアイコンを図示しない表示部等に表示する。さらに、ＡＶ機器は、図示しないＬＥＤに任意の発光動作をさせたり、図示しないスピーカから任意のビープサウンドを発生したりする。
【００４８】
部分消去は、ＡＶ機器が対応しているカテゴリに属するデータのみを消去の対象とする場合と、ＡＶ機器が対応していないカテゴリに属するデータのみを消去の対象とする場合とに大別される。
【００４９】
ＡＶ機器が対応しているカテゴリに属するデータのみを消去の対象とする場合は、対応しているカテゴリに属する全てのデータを消去する場合と、対応しているカテゴリに属するコンテンツ単位で消去する場合とがある。これらの場合、保護されているファイルは、消去の対象とはならない。
【００５０】
全てのデータを消去する場合、ＡＶ機器は、例えば
「ＥＲＡＳＥ（ＤＥＬＥＴＥ）  ＡＬＬ」
「全ての曲を消去します」
といったように、対応しているカテゴリに属する全てのデータを消去するための確認用のメッセージを図示しない表示部等に表示する。また、ＡＶ機器は、対応していないバージョンデータがフラッシュメモリに記録されている場合には、そのデータを消去するための確認用のメッセージを図示しない表示部等に表示する。
【００５１】
一方、コンテンツ単位で消去する場合、ＡＶ機器は、例えば
「ＥＲＡＳＥ（ＤＥＬＥＴＥ）  ＭＵＳＩＣ」
「曲を消去します」
といったように、対応しているカテゴリに属する１つのデータを消去するための確認用のメッセージを図示しない表示部等に表示する。また、ＡＶ機器は、消去するデータの容量を図示しない表示部等に表示する。さらに、ＡＶ機器は、対応していないバージョンデータがフラッシュメモリに記録されている場合には、そのデータを消去するための確認用のメッセージを図示しない表示部等に表示する。
【００５２】
また、ＡＶ機器が対応していないカテゴリに属するデータのみを消去の対象とする場合は、対応していないカテゴリ単位で消去する場合と、対応していないカテゴリに属するコンテンツ単位で消去する場合とがある。ＡＶ機器は、フラッシュメモリに記録されている非対応のカテゴリに属するデータが他の機器により記録されたものであっても、データの内容を判別可能な場合には、消去することができる。これらの場合、保護されているファイルも、消去の対象となる。
【００５３】
カテゴリ単位で消去する場合、ＡＶ機器は、例えば
「ＥＲＡＳＥ（ＤＥＬＥＴＥ）  ＡＵＤＩＯ  ＦＩＬＥ」
「音楽を消去します、保護されているファイルが含まれていても消去します」といったように、対応していないカテゴリを消去するための確認用のメッセージを図示しない表示部等に表示する。また、ＡＶ機器は、消去するカテゴリの容量を図示しない表示部等に表示する。さらに、ＡＶ機器は、消去するカテゴリに関連するデータやバージョンが異なるデータがフラッシュメモリに記録されている場合には、それらのデータを消去するための確認用のメッセージを図示しない表示部等に表示する。
【００５４】
一方、コンテンツ単位で消去する場合、ＡＶ機器は、例えば
「ＥＲＡＳＥ（ＤＥＬＥＴＥ）  ＭＵＳＩＣ」
「曲を消去します」
といったように、消去の対象とするカテゴリに属する１つのデータを消去するための確認用のメッセージを図示しない表示部等に表示する。また、ＡＶ機器は、消去するデータの容量を図示しない表示部等に表示する。さらに、消去するデータに関連するデータやバージョンが異なるデータがフラッシュメモリに記録されている場合には、それらのデータを消去するための確認用のメッセージを図示しない表示部等に表示する。
【００５５】
また、部分消去としては、ＡＶ機器が対応していない全てのカテゴリを消去する場合がある。これは、フラッシュメモリの空き容量を増やすために行われるものであり、他の機器により記録された対応していないカテゴリがフラッシュメモリに記録されている場合に行われるものである。具体的には、オーディオ機器により２ＭＢのデータが既に記録されているフラッシュメモリを、ディジタルスチルカメラに装着して使用する際に、１０ＭＢの静止画データを記録した後、２ＭＢのオーディオデータを消去したい場合に適用できるものである。この場合、ＡＶ機器は、例えば
「ＥＲＡＳＥ（ＤＥＬＥＴＥ）  ＩＮＣＯＭＰＡＴＩＢＬＥ  ＤＡＴＡ」
「ＥＲＡＳＥ（ＤＥＬＥＴＥ）  ＵＮＫＮＯＷＮ  ＤＡＴＡ」
「音楽以外を全て消去します、保護されているファイルが含まれていても消去します」
といったように、全ての対応していないカテゴリを消去するための確認用のメッセージを図示しない表示部等に表示する。また、ＡＶ機器は、消去するカテゴリの容量を図示しない表示部等に表示する。
【００５６】
データ記録再生システムにおいては、上述した方法にしたがって、各種状態を使用者に認知させることができる。
【００５７】
以下、上述した規則に基づく具体的な動作を説明するために、ＡＶ機器として図４に示す静止画を撮像するディジタルスチルカメラ１０を用いて説明する。
【００５８】
ディジタルスチルカメラ１０は、同図に示すように、被写体を撮像するカメラ部１１と、このカメラ部１１により撮像された静止画データを処理する画像処理部１２と、各種データを一時記憶するワークエリアとしてのＲＡＭ（Random Access Memory）１３と、各種処理を行うためのデータ記録再生プログラムや各カテゴリについてディレクトリ名と内容との対応関係を示す対応関係情報等の各種情報を記憶する読み出し専用の記憶手段であるＲＯＭ（Read Only Memory）１４と、フラッシュメモリ３０を装着して制御するメディアコントローラ１５と、使用者が各種情報を入力操作するための操作部１６と、後述する表示部１８を制御する表示制御部１７と、各種情報を表示する表示手段である表示部１８と、各部を統括して制御するＭＰＵ（Micro Processing Unit）１９とを備える。また、ディジタルスチルカメラ１０においては、画像処理部１２、ＲＡＭ１３、ＲＯＭ１４、メディアコントローラ１５、操作部１６、表示制御部１７及びＭＰＵ１９は、システムバス２０により相互に接続されている。なお、フラッシュメモリ３０は、静止画データの他、例えばオーディオデータ等の各種データが記録されるものである。
【００５９】
このようなディジタルスチルカメラ１０は、ＭＰＵ１９がＲＯＭ１４に記憶されているデータ記録再生プログラムを読み出して実行することによって、メディアコントローラ１５に装着されたフラッシュメモリ３０に対して被写体を撮像して得られた静止画データを記録する。この際、フラッシュメモリ３０には、静止画データが上述した規則に基づいたディレクトリ構成の下に記録される。また、ディジタルスチルカメラ１０は、ＭＰＵ１９がＲＯＭ１４に記憶されているデータ記録再生プログラムを読み出して実行することによって、メディアコントローラ１５に装着されたフラッシュメモリ３０に記録されている静止画データを再生して表示部１８に表示する。具体的には、ディジタルスチルカメラ１０は、記録の際には、フラッシュメモリ３０におけるディレクトリ“ＤＣＩＭ”に撮像して得られた静止画データを記録し、再生の際には、このディレクトリ“ＤＣＩＭ”から静止画データを再生して表示部１８に表示する。
【００６０】
ディジタルスチルカメラ１０は、記録時及び再生時ともに、ＭＰＵ１９がＲＯＭ１４に記憶されているデータ記録再生プログラムを読み出して実行することによって、図５及び図６に示すような一連の処理を行い、フラッシュメモリ３０に記録されている対象とするディレクトリを検索する。
【００６１】
ディジタルスチルカメラ１０の対応フォーマットのデータを格納するディレクトリ、すなわち、ディレクトリ“ＤＣＩＭ”を検索する場合、ディジタルスチルカメラ１０は、図５に示すように、ステップＳ１において、ＭＰＵ１９の制御の下に、メディアコントローラ１５を介してフラッシュメモリ３０を読み出し、フラッシュメモリ３０に記録されているディレクトリの中から任意のディレクトリを最初のディレクトリとして認識する。
【００６２】
続いて、ディジタルスチルカメラ１０は、ステップＳ２において、ＭＰＵ１９の制御の下に、フラッシュメモリ３０にディレクトリが記録されているか否かを判別する。
【００６３】
ここで、ディレクトリが存在しない場合には、ディジタルスチルカメラ１０は、ステップＳ４において、ＭＰＵ１９の制御の下に、例えば、記録時には、新規ディレクトリ“ＤＣＩＭ”を作成する等の処理を行い、再生時には、ディレクトリが存在しない旨を使用者に認知させるためのエラーメッセージを表示部１８に表示する等の処理を行い、一連の処理を終了する。
【００６４】
一方、ディレクトリが存在する場合には、ディジタルスチルカメラ１０は、ステップＳ３において、ＭＰＵ１９の制御の下に、認識したディレクトリが対応フォーマットのディレクトリ、すなわち、ディレクトリ“ＤＣＩＭ”であるか否かを判別する。
【００６５】
ここで、ディレクトリ“ＤＣＩＭ”である場合には、ディジタルスチルカメラ１０は、一連の処理を終了する。なおこの際、ディジタルスチルカメラ１０は、対応フォーマットのディレクトリがフラッシュメモリ３０に記録されている旨のメッセージを表示部１８に表示するようにしてもよい。
【００６６】
一方、ディレクトリ“ＤＣＩＭ”でない場合には、ディジタルスチルカメラ１０は、ステップＳ５において、ＭＰＵ１９の制御の下に、メディアコントローラ１５を介してフラッシュメモリ３０を読み出し、フラッシュメモリ３０に記録されている次のディレクトリを認識し、ステップＳ２以降の処理を再び反復する。
【００６７】
このようにして、ディジタルスチルカメラ１０は、フラッシュメモリ３０に記録されている対応フォーマットのデータを格納するディレクトリ、すなわち、ディレクトリ“ＤＣＩＭ”を検索することができる。
【００６８】
また、ディジタルスチルカメラ１０の非対応フォーマットのデータを格納するディレクトリ、すなわち、ディレクトリ“ＤＣＩＭ”以外のディレクトリを検索する場合、ディジタルスチルカメラ１０は、図６に示すように、ステップＳ１１において、ＭＰＵ１９の制御の下に、メディアコントローラ１５を介してフラッシュメモリ３０を読み出し、フラッシュメモリ３０に記録されているディレクトリの中から任意のディレクトリを最初のディレクトリとして認識する。
【００６９】
続いて、ディジタルスチルカメラ１０は、ステップＳ１２において、ＭＰＵ１９の制御の下に、フラッシュメモリ３０にディレクトリが記録されているか否かを判別する。
【００７０】
ここで、ディレクトリが存在しない場合には、ディジタルスチルカメラ１０は、一連の処理を終了する。なおこの際、ディジタルスチルカメラ１０は、非対応フォーマットのディレクトリがフラッシュメモリ３０に記録されていない旨のメッセージを表示部１８に表示するようにしてもよい。
【００７１】
一方、ディレクトリが存在する場合には、ディジタルスチルカメラ１０は、ステップＳ１３において、ＭＰＵ１９の制御の下に、認識したディレクトリのフォーマットがどのようなデータのフォーマットであるかを知っているか否かを判別する。
【００７２】
ここで、認識したディレクトリのフォーマットがどのようなデータのフォーマットであるかを知っている場合には、ディジタルスチルカメラ１０は、ステップＳ１４において、ＭＰＵ１９の制御の下に、例えば、そのディレクトリのカテゴリを表示部１８に表示したり、そのディレクトリを消去する場合には、消去の確認用のメッセージを表示部１８に表示するといったように、カテゴリ毎の具体的な処理を行い、ステップＳ１５の処理へと移行する。
【００７３】
一方、認識したディレクトリのフォーマットがどのようなデータのフォーマットであるかを知っていない場合には、ディジタルスチルカメラ１０は、ステップＳ１５において、ＭＰＵ１９の制御の下に、メディアコントローラ１５を介してフラッシュメモリ３０を読み出し、フラッシュメモリ３０に記録されている次のディレクトリを認識し、ステップＳ１２以降の処理を再び反復する。
【００７４】
このようにして、ディジタルスチルカメラ１０は、フラッシュメモリ３０に記録されている非対応フォーマットのデータを格納するディレクトリ、すなわち、ディレクトリ“ＤＣＩＭ”以外のディレクトリを検索することができる。
【００７５】
また、ディジタルスチルカメラ１０は、対応していないカテゴリを扱う場合として、図７に示すような一連の処理を経ることによって、対応していないカテゴリに属するデータをカテゴリ毎に使用者の確認をとりながら消去する。
【００７６】
すなわち、ディジタルスチルカメラ１０は、同図に示すように、ステップＳ２１において、ＭＰＵ１９の制御の下に、メディアコントローラ１５を介してフラッシュメモリ３０を読み出してフラッシュメモリ３０に記録されているディレクトリの名称を確認する。そして、ディジタルスチルカメラ１０は、ＭＰＵ１９の制御の下に、ＲＯＭ１４から各カテゴリについてディレクトリ名と内容との対応関係を示す対応関係情報を読み出し、フラッシュメモリ３０に記録されているディレクトリの名称と、対応関係情報に示されているディレクトリ名とを比較する。
【００７７】
続いて、ディジタルスチルカメラ１０は、ステップＳ２２において、ＭＰＵ１９の制御の下に、対応関係情報に示されているディレクトリ名と一致したディレクトリについて、例えばオーディオデータを格納するといったディレクトリの内容と、ディレクトリを消去してよいか否かの確認用のメッセージとを表示部１８に表示する。
【００７８】
続いて、ディジタルスチルカメラ１０は、ステップＳ２３において、ＭＰＵ１９の制御の下に、使用者がステップＳ２２における確認に対する応答として操作部１６を操作した内容を認識する。
【００７９】
続いて、ディジタルスチルカメラ１０は、ステップＳ２４において、ＭＰＵ１９の制御の下に、ステップＳ２３において認識した操作内容に基づいて、ディレクトリを消去してもよいか否かを判別する。
【００８０】
ここで、ディレクトリを消去しない場合には、ディジタルスチルカメラ１０は、ディレクトリの消去を行わずに、一連の処理を終了する。
【００８１】
一方、ディレクトリを消去する場合には、ディジタルスチルカメラ１０は、ステップＳ２５において、ＭＰＵ１９の制御の下に、使用者が操作部１６を介して指定したディレクトリを、そのディレクトリに格納されているデータとともに消去し、一連の処理を終了する。
【００８２】
このようにして、ディジタルスチルカメラ１０は、フラッシュメモリ３０に記録されている対応していないカテゴリに属するデータをカテゴリ毎に使用者の確認をとりながら消去することができる。
【００８３】
つぎに、ディジタルスチルカメラ１０におけるより具体的な動作例について、図８及び図９に示すように、動作に応じた表示部１８の表示内容を用いて説明する。
【００８４】
まず、ディジタルスチルカメラ１０により被写体を撮像し、得られる静止画データをフラッシュメモリ３０に記録している際に、フラッシュメモリ３０の記録容量が不足したため、不要なデータを消去する場合について説明する。
【００８５】
ディジタルスチルカメラ１０は、フラッシュメモリ３０の記録容量の残量が１枚の静止画データを記録することが可能な容量であった場合には、ＭＰＵ１９の制御の下に、例えば図８中表示画面Ｄ１のように、「あと１枚撮れます」といったメッセージを表示部１８に表示する。
【００８６】
続いて、ディジタルスチルカメラ１０は、使用者が被写体を撮像すると、ＭＰＵ１９の制御の下に、例えば表示画面Ｄ２のように、「あと０枚撮れます」といったメッセージを表示部１８に表示する。
【００８７】
続いて、ディジタルスチルカメラ１０は、使用者が被写体を撮像しようとすると、フラッシュメモリ３０の記録容量の残量が不足していることから、ＭＰＵ１９の制御の下に、例えば表示画面Ｄ３のように、「メモリが一杯です」といったメッセージを表示部１８に表示する。
【００８８】
続いて、ディジタルスチルカメラ１０は、使用者が操作部１６を操作することによって、ＭＰＵ１９の制御の下に、例えば表示画面Ｄ４のようなメニュー画面を表示部１８に表示する。メニュー画面は、例えば表示画面Ｄ４のように、対応しているカテゴリであるディレクトリ“ＨＩＦＩ”に格納されている全ての静止画データを消去するための「全画消去」、対応しているカテゴリであるディレクトリ“ＨＩＦＩ”に格納されている静止画データのうちの任意の静止画データを選択して消去するための「画像を選んで消去」、対応していないカテゴリに属するデータを消去するための「他カテゴリを消去」といった選択項目からなる。
【００８９】
ここで、使用者が操作部１６を操作することにより選択項目から「他カテゴリを消去」を選択したものとすると、ディジタルスチルカメラ１０は、ＭＰＵ１９の制御の下に、フラッシュメモリ３０に記録されている他カテゴリ、すなわち、対応していないカテゴリを検索し、例えば表示画面Ｄ５のように、検索した他カテゴリについての内容と、このカテゴリに属するデータをディレクトリを含めて消去するか否かを使用者に問うための選択項目とを表示部１８に表示する。例えばフラッシュメモリ３０に他カテゴリとしてディレクトリ“ＨＩＦＩ”が記録されている場合には、ディジタルスチルカメラ１０は、他カテゴリについての内容として、オーディオファイル（音楽ファイル）が記録されている旨のメッセージと、ディレクトリ“ＨＩＦＩ”に格納されているオーディオファイルの数、すなわち、曲数と、全てのオーディオファイルが占める容量と、この容量に対応する静止画データの枚数を示すメッセージとを表示部１８に表示する。
【００９０】
ここで、使用者が操作部１６を操作することにより選択項目から「Ｎｏ」を選択したものとすると、ディジタルスチルカメラ１０は、ＭＰＵ１９の制御の下に、フラッシュメモリ３０に記録されている次の他カテゴリを検索し、例えば表示画面Ｄ６のように、検索した他カテゴリについての内容と、このカテゴリに属するデータをディレクトリを含めて消去するか否かを使用者に問うための選択項目とを表示部１８に表示する。例えばフラッシュメモリ３０に次の他カテゴリとしてディレクトリ“ＶＯＩＣＥ”が記録されている場合には、ディジタルスチルカメラ１０は、他カテゴリについての内容として、ボイスファイル（音声ファイル）が記録されている旨のメッセージと、ディレクトリ“ＶＯＩＣＥ”に格納されているボイスファイルの数、すなわち、項目数と、全てのボイスファイルが占める容量と、この容量に対応する静止画データの枚数を示すメッセージとを表示部１８に表示する。
【００９１】
ここで、使用者が操作部１６を操作することにより選択項目から「Ｙｅｓ」を選択したものとすると、ディジタルスチルカメラ１０は、ＭＰＵ１９の制御の下に、ディレクトリ“ＶＯＩＣＥ”を含めた全てのボイスファイルを消去し、例えば表示画面Ｄ７のように、「消去しました」といったメッセージを表示部１８に表示する。
【００９２】
そして、使用者が操作部１６を操作することによりディレクトリ“ＶＯＩＣＥ”を含めた全てのボイスファイルが消去されたことを確認すると、ディジタルスチルカメラ１０は、ＭＰＵ１９の制御の下に、例えば表示画面Ｄ８のように、「あと８枚撮れます」といったメッセージを表示部１８に表示する。
【００９３】
このようにして、ディジタルスチルカメラ１０は、対応していないカテゴリに属する不要なデータを消去してフラッシュメモリ３０の空き容量を増やすことができる。
【００９４】
また、使用者がフラッシュメモリ３０に記録されている他カテゴリに属するデータ数の一覧等の他カテゴリに関する情報を把握したい場合には、ディジタルスチルカメラ１０は、図９に示すような一連の表示画面を表示部１８に表示する。
【００９５】
ディジタルスチルカメラ１０は、フラッシュメモリ３０の記録容量の残量が１枚の静止画データを記録することが可能な容量であった場合には、ＭＰＵ１９の制御の下に、例えば同図中表示画面Ｄ１１のように、「あと１枚撮れます」といったメッセージを表示部１８に表示する。
【００９６】
ここで、使用者がフラッシュメモリ３０に記録されている他カテゴリに属するデータ数の一覧等を把握するために、メニュー画面を表示するように操作部１６を操作すると、ディジタルスチルカメラ１０は、ＭＰＵ１９の制御の下に、例えば表示画面Ｄ１２のようなメニュー画面を表示部１８に表示する。メニュー画面は、例えば表示画面Ｄ１２のように、対応しているカテゴリであるディレクトリ“ＨＩＦＩ”に格納されている静止画データの情報を一覧表示するための「画一覧」、対応していないカテゴリの情報を一覧表示するための「他カテゴリ一覧」、フラッシュメモリ３０を初期化するための「フォーマット」といった選択項目からなる。
【００９７】
ここで、使用者が操作部１６を操作することにより選択項目から「他カテゴリ一覧」を選択したものとすると、ディジタルスチルカメラ１０は、ＭＰＵ１９の制御の下に、フラッシュメモリ３０に記録されている全ての他カテゴリを検索し、例えば表示画面Ｄ１３のように、検索した他カテゴリについての内容と、フラッシュメモリ３０の空き容量とを表示部１８に表示する。例えばフラッシュメモリ３０に他カテゴリとして、ディレクトリ“ＨＩＦＩ”と、ディレクトリ“ＶＯＩＣＥ”と、カテゴリが不明なファイルとが記録されている場合には、ディジタルスチルカメラ１０は、他カテゴリについての内容として、ディレクトリ“ＨＩＦＩ”に格納されているオーディオファイルの数である曲数及び全てのオーディオファイルが占める容量と、ディレクトリ“ＶＯＩＣＥ”に格納されているボイスファイルの数である項目数及び全てのボイスファイルが占める容量と、カテゴリが不明なファイルの数及びそれらのファイルの容量と、フラッシュメモリ３０の空き容量とを表示部１８に表示する。
【００９８】
そして、使用者が操作部１６を操作することにより他カテゴリの情報を確認すると、ディジタルスチルカメラ１０は、ＭＰＵ１９の制御の下に、例えば表示画面Ｄ１４のように、「あと１枚撮れます」といったメッセージを表示部１８に表示する。
【００９９】
このようにして、ディジタルスチルカメラ１０は、使用者に他カテゴリに関する情報を把握させることができる。
【０１００】
なお、ディジタルスチルカメラ１０は、図８及び図９を用いて説明した動作におけるカテゴリの検索や消去等の各処理として、先に図５乃至図７に示した処理を行うことはいうまでもない。これらの各処理は、上述したように、ＲＯＭ１４に記憶されているデータ記録再生プログラムをＭＰＵ１９が実行することにより行われるが、データ記録再生プログラムは、予めＲＯＭ１４に記憶されているばかりではなく、例えばＣＤ−ＲＯＭ等の記録媒体や通信回線等の提供媒体により使用者に提供され、使用者によりＲＡＭ１３等の記憶装置に記録されるようにしてもよい。
【０１０１】
以上説明したように、フラッシュメモリとＡＶ機器とにより構成されるデータ記録再生システムは、フラッシュメモリに対するデータの記録方法を明確に規定して、データのフォーマットにかかわらず最低限の情報を共有することによって、非対応フォーマットのデータを認識することができるとともに、非対応フォーマットのデータを消去するといったように扱うことができる。したがって、データ記録再生システムは、非対応フォーマットのデータがフラッシュメモリに混在して記録されている場合にも、使用者に高い利便性を提供することができる。
【０１０２】
なお、本発明は、上述した実施の形態に限定されるものではなく、例えば、ディレクトリ“ＤＣＩＭ”等の各アプリケーション毎のディレクトリは、フラッシュメモリにおけるルートディレクトリに作成されるものとして説明したが、ルートディレクトリ以外のある決められたディレクトリに作成されてもよい。
【０１０３】
また、上述した実施の形態では、ＡＶ機器が対応していないカテゴリに属するデータを扱う例として、これらのデータを消去する場合について説明したが、本発明は、例えば、これらのデータを複製する場合等、その他の各種処理にも適用することができるのは勿論である。
【０１０４】
さらに、上述した実施の形態では、表示部１８に表示するメッセージを示しているが、これらのメッセージは、あくまでも一例であって、本発明は、各場合において同様の主旨を有するメッセージであれば適用可能であり、さらに好ましくは、エラーの内容を示すメッセージに加えて、そのエラーに対する対処方法を使用者に知らしめるためのメッセージを表示するのがよい。
【０１０５】
さらにまた、上述した実施の形態では、ＡＶ機器としてディジタルスチルカメラ１０を用いて説明しているが、本発明は、例えばオーディオデータをフラッシュメモリに記録及び／又は再生することができるオーディオ機器といったフラッシュメモリを装着する全てのＡＶ機器に適用でき、フラッシュメモリとともにその他の記録媒体を使用する複合機にも適用できる。
【０１０６】
また、本発明は、１つのカテゴリに対応するＡＶ機器ばかりではなく、複数のカテゴリに対応するＡＶ機器であっても適用できる。
【０１０７】
さらに、本発明は、データの内容を解さない機器であってもデータの内容を把握することができ、フラッシュメモリの記録容量の残量を計測する機器に応用することができる。
【０１０８】
さらにまた、本発明は、フラッシュメモリ以外の記録媒体であっても、同様の規則に基づいたデータの記録が可能な記録媒体であれば適用可能である。
【０１０９】
また、上述したディジタルスチルカメラ１０において、各カテゴリについてディレクトリ名と内容との対応関係を示す対応関係情報は、ＲＯＭ１４に記憶されているものとして説明したが、本発明は、対応関係情報を記憶していないＡＶ機器であっても適用できる。すなわち、例えば“ＶＯＩＣＥ”といったように、フラッシュメモリに記録されるディレクトリの名称を使用者にとってわかりやすいものに規定することによって、対応関係情報を記憶していないＡＶ機器であっても、そのディレクトリ名を直接表示することで使用者が内容を把握することが可能となり、新規のカテゴリを拡張して設ける場合にも容易に対応することができる。
【０１１０】
さらに、本発明においては、ディレクトリの内容を示すファイルを当該ディレクトリに格納することによって、ＡＶ機器が対応関係情報を記憶する必要がなくなる。すなわち、図１０に示すように、フラッシュメモリに記録されているディレクトリ“ＨＩＦＩ”内に当該ディレクトリ“ＨＩＦＩ”がオーディオデータ（音楽データ）を格納するものであることを示す“ｐｕｒｐｏｓｅ．ｄｉｒ”というファイルを格納し、ＡＶ機器がこのファイルを参照することによって、ＡＶ機器は、各カテゴリについてディレクトリ名と内容との対応関係を認識することができる。
【０１１１】
このように、本発明は、その趣旨を逸脱しない範囲で適宜変更が可能であることはいうまでもない。
【０１１２】
【発明の効果】
以上詳細に説明したように、本発明にかかるデータ記録再生装置は、複数種類のフォーマットのデータを記録可能である記録媒体に対して少なくとも１つのフォーマットである対応フォーマットのデータの記録及び／又は再生が可能であるデータ記録再生装置であって、記録媒体に記録されている対応フォーマットとは異なる非対応フォーマットのデータのフォーマット確認及び非対応フォーマットのデータの消去を行う処理手段を備える。
【０１１３】
したがって、本発明にかかるデータ記録再生装置は、処理手段によって、複数種類のフォーマットのデータを記録可能である記録媒体に記録されている非対応フォーマットのデータのフォーマット確認及び消去を行うことによって、記録媒体に複数種類のフォーマットのデータが記録されている場合にも、使用者に高い利便性を提供することができる。
【０１１４】
また、本発明にかかるデータ記録再生方法は、複数種類のフォーマットのデータを記録可能である記録媒体に対して少なくとも１つのフォーマットである対応フォーマットのデータの記録及び／又は再生が可能であるデータ記録再生装置におけるデータ記録再生方法であって、記録媒体に記録されている対応フォーマットとは異なる非対応フォーマットのデータのフォーマット確認及び非対応フォーマットのデータの消去を行う。
【０１１５】
したがって、本発明にかかるデータ記録再生方法は、複数種類のフォーマットのデータを記録可能である記録媒体に記録されている非対応フォーマットのデータのフォーマット確認及び消去を行うことによって、記録媒体に複数種類のフォーマットのデータが記録されている場合にも、使用者に高い利便性を提供することが可能となる。
【０１１６】
さらに、本発明にかかるデータ記録再生システムは、複数種類のフォーマットのデータを記録可能である記録媒体と、この記録媒体を着脱自在に装着するとともに、装着された記録媒体に対して少なくとも１つのフォーマットである対応フォーマットのデータの記録及び／又は再生が可能であるデータ記録再生装置とを備えるデータ記録再生システムであって、データ記録再生装置は、記録媒体に記録されている対応フォーマットとは異なる非対応フォーマットのデータのフォーマット確認及び非対応フォーマットのデータの消去を行う処理手段を有する。
【０１１７】
したがって、本発明にかかるデータ記録再生システムは、データ記録再生装置における処理手段によって、複数種類のフォーマットのデータを記録可能である記録媒体に記録されている非対応フォーマットのデータのフォーマット確認及び消去を行うことによって、記録媒体に複数種類のフォーマットのデータが記録されている場合にも、使用者に高い利便性を提供することができる。
【０１１８】
さらにまた、本発明にかかるデータ記録再生プログラムを提供するプログラム提供媒体は、複数種類のフォーマットのデータを記録可能である記録媒体に対して少なくとも１つのフォーマットである対応フォーマットのデータの記録及び／又は再生が可能であるデータ記録再生装置に適用するデータ記録再生プログラムを提供するプログラム提供媒体であって、データ記録再生プログラムは、記録媒体に記録されている対応フォーマットとは異なる非対応フォーマットのデータのフォーマット確認及び非対応フォーマットのデータの消去をデータ記録再生装置に行わせる。
【０１１９】
したがって、本発明にかかるデータ記録再生プログラムを提供するプログラム提供媒体は、複数種類のフォーマットのデータを記録可能である記録媒体に記録されている非対応フォーマットのデータのフォーマット確認及び消去をデータ記録再生装置に行わせるデータ記録再生プログラムを提供することができる。そのため、このデータ記録再生プログラムを提供されたデータ記録再生装置は、記録媒体に複数種類のフォーマットのデータが記録されている場合にも、使用者に高い利便性を提供することが可能となる。
【図面の簡単な説明】
【図１】本発明の実施の形態として示すデータ記録再生システムを構成するフラッシュメモリにおけるディレクトリ構成の一例を示す図である。
【図２】対応しているカテゴリに属するデータがフラッシュメモリに記録されていない場合に表示するアイコンの一例を示す図である。
【図３】カテゴリ別アイコンの一例を示す図である。
【図４】本発明の実施の形態として示すデータ記録再生システムを構成するＡＶ機器としてのディジタルスチルカメラの構成を説明するブロック図である。
【図５】図４に示したディジタルスチルカメラが対応フォーマットのデータを格納するディレクトリを検索する際の一連の工程を説明するフローチャートである。
【図６】図４に示したディジタルスチルカメラが非対応フォーマットのデータを格納するディレクトリを検索する際の一連の工程を説明するフローチャートである。
【図７】図４に示したディジタルスチルカメラが対応していないカテゴリに属するデータをカテゴリ毎に使用者の確認をとりながら消去する際の一連の工程を説明するフローチャートである。
【図８】図４に示したディジタルスチルカメラに装着されるフラッシュメモリの記録容量が不足したことにより不要なデータを消去する場合における動作に応じた一連の表示内容を説明する図である。
【図９】使用者が図４に示したディジタルスチルカメラに装着されるフラッシュメモリに記録されている他カテゴリに関する情報を把握したい場合における動作に応じた一連の表示内容を説明する図である。
【図１０】フラッシュメモリにおけるディレクトリ構成の一例を示す図であって、ディレクトリの内容を示すファイルが当該ディレクトリに格納されている様子を示す図である。
【符号の説明】
１０  ディジタルスチルカメラ、  １１  カメラ部、  １２  画像処理部、  １３  ＲＡＭ、  １４  ＲＯＭ、  １５  メディアコントローラ、  １６  操作部、  １７  表示制御部、  １８  表示部、  １９  ＭＰＵ、  ２０  システムバス、  ３０  フラッシュメモリ
【図１】
0004281174.tif 000003
【図２】
0004281174.tif 000004
【図３】
0004281174.tif 000005
【図４】
0004281174.tif 000006
【図５】
0004281174.tif 000007
【図６】
0004281174.tif 000008
【図７】
0004281174.tif 000009
【図８】
0004281174.tif 000010
【図９】
0004281174.tif 000011
【図１０】
0004281174.tif 000012